(57)【要約】【課題】本発明は、乾燥室の点検・清掃等を行う際の作業性を向上させることができる穀物乾燥機を提供することを目的とする。【解決手段】本発明は、上部に穀物貯留部、下部に通風乾燥部を有する機体を備え、前記穀物貯留部から流下する穀物を前記通風乾燥部において通風乾燥する穀物乾燥機であって、前記通風乾燥部は、熱風発生装置と連通する熱風室、該熱風室の側方に通気性を有する第１隔壁を介して設けられ前記穀物貯留部に貯留される穀物が流下する乾燥室、前記乾燥室のさらに側方に通気性を有する第２隔壁を介して設けられ排風装置と連通する排風室、を有してなる穀物乾燥機において、前記第２隔壁は、矩形状であって各辺に沿って伸びる補強部が四辺に設けられる複数の多孔板からなり、各多孔板は前記通風乾燥部の所定位置に装脱可能に設けられることを特徴とする。【選択図】図２
2019078410.tif 000002
【特許請求の範囲】
【請求項１】
上部に穀物貯留部、下部に通風乾燥部を有する機体を備え、前記穀物貯留部から流下する穀物を前記通風乾燥部において通風乾燥する穀物乾燥機であって、
前記通風乾燥部は、熱風発生装置と連通する熱風室、該熱風室の側方に通気性を有する第１隔壁を介して設けられ前記穀物貯留部に貯留される穀物が流下する乾燥室、前記乾燥室のさらに側方に通気性を有する第２隔壁を介して設けられ排風装置と連通する排風室、を有してなる穀物乾燥機において、
前記第２隔壁は、矩形状であって各辺に沿って伸びる補強部が四辺に設けられる複数の多孔板からなり、
各多孔板は前記通風乾燥部の所定位置に装脱可能に設けられることを特徴とする穀物乾燥機。
【請求項２】
前記通風乾燥部には、機体の前後方向に伸びる上側支持部材と下側支持部材が設けられる一方で、
前記各多孔板の下辺に設けられる補強部の下端には、当該下辺に沿って伸びる溝状の挟持部が設けられ、
前記各多孔板は、前記挟持部で前記下側支持部材を挟持し、上辺に設けられる補強部を前記上側支持部材の乾燥室側の面に当接させることで、前記通風乾燥部の所定位置に装脱可能に設けられる請求項１記載の穀物乾燥機。
【請求項３】
前記多孔板は前記乾燥室と反対側の面に回動フックを有し、前記回動フックを左右に隣接する他の多孔板に係止可能とする請求項２記載の穀物乾燥機。
【請求項４】
前記下側支持部材は前記上側支持部材よりも機体の中心側に設けられ、前記第２隔壁は、前記各多孔板の上方が機体の外側に傾斜した状態で前記通風乾燥部の所定位置に装脱可能とされる請求項２又は３記載の穀物乾燥機。
【請求項５】
前記各多孔板は、中央に多孔部が形成される一枚の金属板からなり、前記金属板の周辺部を折り曲げ成形することにより前記補強部が形成される請求項１乃至４のいずれかに記載の穀物乾燥機。
【請求項６】
上部に穀物貯留部、下部に通風乾燥部を有する機体を備え、前記穀物貯留部から流下する穀物を前記通風乾燥部において通風乾燥する穀物乾燥機であって、
前記通風乾燥部は、熱風発生装置と連通する熱風室、該熱風室の側方に通気性を有する第１隔壁を介して設けられ前記穀物貯留部に貯留される穀物が流下する乾燥室、前記乾燥室のさらに側方に通気性を有する第２隔壁を介して設けられ排風装置と連通する排風室、を有してなる穀物乾燥機において、
前記第１隔壁は、矩形状であって各辺に沿って伸びる補強部が四辺に設けられる複数の多孔板からなり、
各多孔板は前記通風乾燥部の所定位置に装脱可能に設けられることを特徴とする穀物乾燥機。
【発明の詳細な説明】
【技術分野】
【０００１】
本発明は、熱風により米や麦等の穀物を乾燥させる穀物乾燥機に関し、特に乾燥室内の点検・清掃等を容易に行うことができる穀物乾燥機に関する。
【背景技術】
【０００２】
従来、上部に貯留部、下部に乾燥部を備え、前記貯留部から流下する穀物を前記乾燥部において通風乾燥する穀物乾燥機は周知である。
【０００３】
前記乾燥部には、熱風室の側方に通気性を有する隔壁を介して乾燥室、該乾燥室のさらに側方に通気性を有する隔壁を介して排風室が設けられ、前記乾燥室を流下する穀物は、前記熱風室から前記乾燥室を通過して前記排風室から排風される熱風により水分を奪われて乾燥される。
【０００４】
ところで、前記乾燥部では、前記乾燥室を流下する穀物等により前記隔壁が目詰まりを起こすため、前記乾燥室内を点検・清掃等する必要があり、特許文献１には、排風室側の隔壁を取り外すことで、乾燥室内の清掃等を容易に行うことができる穀物乾燥装置が開示されている。
【０００５】
しかしながら、前記乾燥部において前記乾燥室を構成する隔壁は、表面積が広く、かつ流下する穀物の圧力に抗するために溶接等により多くの補強部が設けられるのが通常であり、特許文献１に記載された穀物乾燥装置において、前記隔壁を取り外す際には複数の作業員で取り外さなければならず作業性が悪い問題がある。
【先行技術文献】
【特許文献】
【０００６】
【特許文献１】実用新案登録第２５２５３１３号公報
【発明の概要】
【発明が解決しようとする課題】
【０００７】
そこで、本発明は、乾燥室内の点検・清掃等を行う際の作業性を向上させることができる穀物乾燥機を提供することを目的とする。
【課題を解決するための手段】
【０００８】
上記目的を達成するため、本発明は、
上部に穀物貯留部、下部に通風乾燥部を有する機体を備え、前記穀物貯留部から流下する穀物を前記通風乾燥部において通風乾燥する穀物乾燥機であって、
前記通風乾燥部は、熱風発生装置と連通する熱風室、該熱風室の側方に通気性を有する第１隔壁を介して設けられ前記穀物貯留部に貯留される穀物が流下する乾燥室、前記乾燥室のさらに側方に通気性を有する第２隔壁を介して設けられ排風装置と連通する排風室、を有してなる穀物乾燥機において、
前記第２隔壁は、矩形状であって各辺に沿って伸びる補強部が四辺に設けられる複数の多孔板からなり、
各多孔板は前記通風乾燥部の所定位置に装脱可能に設けられることを特徴とする。
【０００９】
本発明は、
前記通風乾燥部には、機体の前後方向に伸びる上側支持部材と下側支持部材が設けられる一方で、
前記各多孔板の下辺に設けられる補強部の下端には、当該下辺に沿って伸びる溝状の挟持部が設けられ、
前記各多孔板は、前記挟持部で前記下側支持部材を挟持し、上辺に設けられる補強部を前記上側支持部材の乾燥室側の面に当接させることで、前記通風乾燥部の所定位置に装脱可能に設けられることが好ましい。
【００１０】
本発明は、
前記多孔板が前記乾燥室と反対側の面に回動フックを有し、前記回動フックを左右に隣接する他の多孔板に係止可能とすることが好ましい。
【００１１】
本発明は、
前記下側支持部材が前記上側支持部材よりも機体の中心側に設けられ、前記第２隔壁は、前記各多孔板の上方が機体の外側に傾斜した状態で前記通風乾燥部の所定位置に装脱可能とされることが好ましい。
【００１２】
本発明は、
前記各多孔板が、中央に多孔部が形成される一枚の金属板からなり、前記金属板の周辺部を折り曲げ成形することにより前記補強部が形成されることが好ましい。
【００１３】
また、上記目的を達成するため、本発明は、
上部に穀物貯留部、下部に通風乾燥部を有する機体を備え、前記穀物貯留部から流下する穀物を前記通風乾燥部において通風乾燥する穀物乾燥機であって、
前記通風乾燥部は、熱風発生装置と連通する熱風室、該熱風室の側方に通気性を有する第１隔壁を介して設けられ前記穀物貯留部に貯留される穀物が流下する乾燥室、前記乾燥室のさらに側方に通気性を有する第２隔壁を介して設けられ排風装置と連通する排風室、を有してなる穀物乾燥機において、
前記第１隔壁は、矩形状であって各辺に沿って伸びる補強部が四辺に設けられる複数の多孔板からなり、
各多孔板は前記通風乾燥部の所定位置に装脱可能に設けられることを特徴とする。
【発明の効果】
【００１４】
本発明の穀物乾燥機によれば、通風乾燥部の乾燥室と排風室を隔てる第２隔壁が、複数の多孔板からなり、各多孔板が前記通風乾燥部の所定位置に装脱可能に設けられるため、前記第２隔壁の全体を取り外す必要がなく、１又は複数の多孔板を一人の作業員で取り外すことができるので、乾燥室内の点検・清掃等を行う際の作業性を向上させることができる。
【００１５】
また、本発明の穀物乾燥機によれば、前記第２隔壁を構成する複数の多孔板が、矩形状であって各辺に沿って伸びる補強部が四辺に設けられるものなので、強度上の問題を生じない。
【００１６】
本発明の穀物乾燥機は、前記通風乾燥部には、機体の前後方向に伸びる上側支持部材と下側支持部材が設けられる一方で、前記各多孔板の下辺に設けられる補強部の下端には、当該下辺に沿って伸びる溝状の挟持部が設けられ、前記各多孔板が、前記挟持部で前記下側支持部材を挟持し、上辺に設けられる補強部を前記上側支持部材の乾燥室側の面に当接させることで、前記通風乾燥部の所定位置に装脱可能に設けられることとすれば、各多孔板を通風乾燥部の所定位置に簡単に装脱することが可能となる。
【００１７】
本発明の穀物乾燥機は、前記多孔板が前記乾燥室と反対側の面に回動フックを有し、前記回動フックを左右に隣接する他の多孔板に係止可能とすれば、回動フックを有する多孔板及び前記回動フックを有する多孔板に挟まれる多孔板を、ねじ等によらず所定位置に簡単に固定し、簡単に固定解除することができる。
【００１８】
本発明の穀物乾燥機は、前記下側支持部材が前記上側支持部材よりも機体の中心側に設けられ、前記第２隔壁が、前記各多孔板の上方が機体の外側に傾斜した状態で前記通風乾燥部の所定位置に装脱可能とされることとすれば、各多孔板に作用する穀物の圧力等を上側支持部材及び下側支持部材に適当に分散させることができる。
【００１９】
本発明の穀物乾燥機は、前記各多孔板が、中央に多孔部が形成される一枚の金属板からなり、前記金属板の周辺部を折り曲げ成形することにより前記補強部が形成されることとすれば、熟練した技術を必要とする溶接作業が不要になる。
【００２０】
本発明の穀物乾燥機によれば、通風乾燥部の熱風室と乾燥室を隔てる第１隔壁が、複数の多孔板からなり、各多孔板が前記通風乾燥部の所定位置に装脱可能に設けられるため、前記第１隔壁の全体を取り外す必要がなく、１又は複数の多孔板を一人の作業員で取り外すことができるので、乾燥室内の点検・清掃等を行う際の作業性を向上させることができる。
【００２１】
また、本発明の穀物乾燥機によれば、前記第１隔壁を構成する複数の多孔板が、矩形状であって各辺に沿って伸びる補強部が四辺に設けられるものなので、強度上の問題を生じない。
【図面の簡単な説明】
【００２２】
【図１】本発明の実施の形態における穀物乾燥機の正面断面図。
【図２】図１の穀物乾燥機の通風乾燥部における機体側板を取り外した様子の説明図。
【図３】乾燥室と排風室を隔てる隔壁の分解組立図。
【図４】隔壁を構成する多孔板の説明図。
【図５】多孔板を形成する金属板の説明図。
【発明を実施するための形態】
【００２３】
本発明の実施の形態について説明する。
図１は本発明の実施の形態における穀物乾燥機の正面断面図を示す。
本発明の実施の形態における穀物乾燥機１は、上部に穀物貯留部２、下部に通風乾燥部３を有する機体１１と、該機体１１の前側に立設される揚穀機１２を備える。
【００２４】
前記通風乾燥部３の中央には図示しないバーナ等の熱風発生装置と連通する熱風室４が設けられ、該熱風室４の両側には通気性を有する第１隔壁（多孔壁）５を介して一対の乾燥室６が設けられ、前記乾燥室６のさらに外側には通気性を有する第２隔壁（多孔壁）７を介して図示しない排風装置と連通する一対の排風室８が設けられる。
【００２５】
前記通風乾燥部３の下部にはロータリーバルブ１３が配設され、前記ロータリーバルブ１３の下方には、前記揚穀機１２の下部に接続される下スクリューコンベア１４が配設される。また、前記穀物貯留部２の上方には、前記揚穀機１２の上部に接続される上スクリューコンベア１５が配設され、該上スクリューコンベア１５の後端下方には回転盤１６が配設される。
【００２６】
本発明の実施の形態における穀物乾燥機１において、前記機体１１内に張込まれる穀物は、前記揚穀機１２により揚穀され、前記上スクリューコンベア１５により搬送されて回転盤１６の上面に落下し、前記穀物貯留部２内に均等に分散して投入される。
【００２７】
前記穀物貯留部２に投入された穀物は、前記通風乾燥部３において各乾燥室６を流下し、前記ロータリーバルブ１３から下方へ排出され、前記下スクリューコンベア１４により機体１１の前側に向けて搬送され、再び前記揚穀機１２により揚穀されて当該穀物乾燥機１を循環する。
【００２８】
そして、前記穀物は、前記通風乾燥部３において各乾燥室６を流下する際、前記熱風室４から前記各乾燥室６を通過して各排風室８から排風される熱風により水分を奪われて乾燥される。
【００２９】
図２は図１の穀物乾燥機の通風乾燥部における機体側板を取り外した様子を斜め前方から見た説明図を示す。図３は通風乾燥部の乾燥室と排風室を隔てる第２隔壁の分解組立図を示す。図４は第２隔壁を構成する多孔板の説明図を示す。
本発明の実施の形態において、乾燥室６と排風室８を隔てる第２隔壁７は、図２に示すように通風乾燥部３の所定位置に装脱可能に設けられる複数の多孔板７１から構成される。
【００３０】
前記通風乾燥部３の所定位置には、図３に示す上側支持部材７５及び下側支持部材７６が機体１１の前後方向に梁状に設けられる。また、前記上側支持部材７５には下方に伸びるストッパ片７５１が設けられ、前記下側支持部材７６には上部に前記多孔板７１の下端を支持する支持部７６１が設けられる。
【００３１】
各多孔板７１は矩形状からなり、図４に示すように左右両辺にそれぞれ上下方向に伸びるフランジ状の補強部７１ａ，７１ｂが設けられ、上下両辺にそれぞれ左右方向に伸びるフランジ状の補強部７１ｃ，７１ｄが設けられる。
前記各多孔板７１の下辺に設けられる補強部７１ｄには、当該下辺に沿って下方に伸びる一対の挟持片７２ａ，７２ｂが設けられ、前記補強部７１ｄの下面及び前記各挟持片７２ａ，７２ｂにより前記下側支持部材７６の支持部７６１を挟持する挟持部７２が構成される。
【００３２】
本発明の実施の形態において、前記各多孔板７１は、前記挟持部７２で前記下側支持部材７６の支持部７６１を挟持し、上辺に設けられる補強部７１ｃを前記上側支持部材７５のストッパ片７５１の乾燥室６側の面に当接させることで、前記通風乾燥部３の所定位置に装脱可能に取り付けられる。
したがって、本発明の実施の形態によれば、各多孔板７１を通風乾燥部３の所定位置に簡単に装脱することが可能となる。
【００３３】
また、本発明の実施の形態において、前記下側支持部材７６は前記上側支持部材７５よりも機体１１の中心側に設けられ、前記第２隔壁７は、前記各多孔板７１の上方が機体１１の外側に傾斜した状態で前記通風乾燥部３の所定位置に装脱可能とされている。
したがって、本発明の実施の形態によれば、前記各多孔板７１に作用する穀物の圧力等を前記上側支持部材７５及び前記下側支持部材７６に適当に分散させることができる。
【００３４】
本発明の実施の形態において、前記多孔板７１は、前記乾燥室６と反対側の排風室８側の面に左右一対の回動フック７３を有し、各回動フック７３を左右に隣接する他の多孔板７１に係止可能とすることができる。
【００３５】
図２及び図３に示す例では、前記第２隔壁７が５枚の多孔板７１の組合せで構成され、左右両端の多孔板７１は前記上側及び下側支持部材７５，７６にねじ固定されており、中央の３枚の多孔板７１には把手７４が設けられ、その中で左右２枚の多孔板７１に前記回動フック７３が設けられている。
したがって、前記中央の３枚の多孔板７１については、ねじ等によらず通風乾燥部３の所定位置に簡単に固定し、簡単に固定解除することができ、把手７４を持って簡単に取り付け、取り外しすることができる。
【００３６】
図５は図４の多孔板を形成する金属板の説明図を示す。
本発明の実施の形態において、各多孔板７１は、例えば図５に示すような中央に多孔部７１１が形成される一枚の金属板からなり、前記金属板の周辺部を折り曲げ成形することで、図４に示すような補強部７１ａ〜７１ｄを形成することができる。
多孔板７１の補強部７１ａ〜７１ｄは、該多孔板７１の四辺に溶接により形成することもできるが、一枚の金属板から折り曲げ成形により形成することとすれば、熟練した技術を必要とする溶接作業が不要になる。
【００３７】
本発明の実施の形態における穀物乾燥機１によれば、通風乾燥部３の乾燥室６と排風室８を隔てる第２隔壁７が、複数の多孔板７１を組み合わせてなり、各多孔板７１が前記通風乾燥部３の所定位置に装脱可能に設けられるため、前記第２隔壁７の全体を取り外す必要がなく、排風室８側から１又は複数の多孔板７１を一人の作業員で取り外すことができるので、乾燥室内の点検・清掃等を行う際の作業性を向上させることができる。
【００３８】
また、本発明の実施の形態における穀物乾燥機１によれば、前記第２隔壁７を構成する複数の多孔板７１が、矩形状であって各辺に沿って伸びる補強部７１ａ〜７１ｄが四辺に設けられるものなので、強度上の問題を生じない。
【００３９】
上記本発明の実施の形態における穀物乾燥機は、上側支持部材７５と下側支持部材７６の間に、上下方向に１枚の多孔板７１が設けられるものを例としたが、上下方向に複数の多孔板７１が設けられるものとすることもできる。
【００４０】
また、上記本発明の実施の形態における穀物乾燥機は、熱風室４の両側に一対の乾燥室６が上方を機体１１の外側に傾斜した状態で設けられるものを例としたが、前記乾燥室６は必ずしも傾斜した状態で設けられるものである必要はない。
【００４１】
上記本発明の実施の形態における穀物乾燥機は、一つの熱風室４が設けられるものを例としたが、複数の熱風室が設けられるものでもよい。
また、上記本発明の実施の形態における穀物乾燥機は、循環式の乾燥機を例としたが、必ずしも循環式の乾燥機である必要はない。
【００４２】
上記本発明の実施の形態における穀物乾燥機は、通風乾燥部３の乾燥室６と排風室８を隔てる第２隔壁７が、複数の多孔板７１を組み合わせて構成されるものを例としたが、熱風室４と乾燥室６を隔てる第１隔壁５についても、複数の多孔板７１を組み合わせて構成されるものとすることもできる。
【００４３】
本発明は、上記実施の形態に限るものでなく発明の範囲を逸脱しない限りにおいて、その構成を適宜変更できることはいうまでもない。
【産業上の利用可能性】
【００４４】
本発明の穀物乾燥機は、通風乾燥部の乾燥室と排風室を隔てる隔壁の全体を取り外す必要がなく、１又は複数の多孔板を一人の作業員で取り外すことができるので、乾燥室内の点検・清掃等を行う際の作業性を向上させることができ実用性が高い。
【符号の説明】
【００４５】
１      穀物乾燥機
１１      機体
１２      揚穀機
１３      ロータリーバルブ
１４      下スクリューコンベア
１５      上スクリューコンベア
１６      回転盤
２      穀物貯留部
３      通風乾燥部
４      熱風室
５      第１隔壁（多孔壁）
６      乾燥室
７      第２隔壁（多孔壁）
７１      多孔板
７１ａ〜７１ｄ      補強部
７１１      多孔部
７２      挟持部
７２ａ，７２ｂ      挟持片
７３      回動フック
７４      把手
７５      上側支持部材
７５１      ストッパ片
７６      下側支持部材
７６１      支持部
８      排風室
【図１】
2019078410.tif 000003
【図２】
2019078410.tif 000004
【図３】
2019078410.tif 000005
【図４】
2019078410.tif 000006
【図５】
2019078410.tif 000007